(57)【要約】【課題】取付杆と取付基板との締結をより強固にできるとともに、締結作業を安定した状態で行える軒樋支持具、これに用いる取付基板および取付杆を提供する。【解決手段】取付基板２０の凹溝部２１の底部２１ａおよび取付杆１０の取付片部１１のいずれか一方には係合部（切り起こし片２３）が形成され、他方には係合部と係合する被係合部（開口窓１１ｂ）が形成されている。【選択図】図１
2010196344.tif 000002
【特許請求の範囲】
【請求項１】
樋支持具本体を支持する本体部および取付片部を備えた取付杆と、内側に凹溝部が形成された取付基板とを備え、上記取付杆の取付片部を、上記取付基板の凹溝部に嵌合し、カシメ締結して被取付体に取付固定する構造とした軒樋支持具であって、
上記取付基板の凹溝部の底部および上記取付杆の取付片部のいずれか一方には係合部が形成され、他方には該係合部と係合する被係合部が形成されていることを特徴とする軒樋支持具。
【請求項２】
請求項１において、
上記取付基板の凹溝部の側壁には、該凹溝部に直交し、該取付基板の外側に膨出した補強部が形成されている軒樋支持具。
【請求項３】
請求項１または２において、
上記係合部および上記被係合部のいずれか一方は切り起こし片で構成され、他方は該切り起こし片が嵌合される開口窓で構成されている軒樋支持具。
【請求項４】
請求項１〜３のいずれかに記載の軒樋支持具に用いられる取付基板。
【請求項５】
請求項１〜３のいずれかに記載の軒樋支持具に用いられる取付杆。
【発明の詳細な説明】
【技術分野】
【０００１】
本発明は、軒樋を支持する本体部および取付片部を備えた取付杆と、内側に凹溝部が形成された取付基板とを備え、取付杆の取付片部を、取付基板の凹溝部に嵌合して被取付体に取付固定する構造とした軒樋支持具、これに用いる取付基板および取付杆に関する。
【背景技術】
【０００２】
従来の軒樋支持具の軒先等における固定構造として、受け式、吊り式いずれのタイプにおいても、取付基板の中央に形成した凹溝部に取付杆の取付片部を嵌合、締結して結合し、取付基板の両翼片部で壁等の被取付体に固定する構造が知られている（例えば、特許文献１を参照）。
【０００３】
この取付杆と取付基板の結合構造によれば、取付杆（の取付片部）と取付基板とを凹溝部においてリベット等でカシメ締結して一体化してから壁等に取付固定できるので、これらを予め一体化しておけば、現場での取付作業を効率よく短時間で行うことができる。
【０００４】
特に、特許文献１に記載のものは、取付杆の脚片部（取付片部）または固定部材（取付基板）の一方に膨出凸部を設けて、その膨出凸部を、他方に形成した孔部に貫通させ、この貫通された膨出凸部の先端をカシメ止めする構造であり、この技術によれば、リベットを必要とせず、比較的簡易に両部材の結合、一体化が行える。
【先行技術文献】
【特許文献】
【０００５】
【特許文献１】特開２００６−１５２６３８号公報
【発明の概要】
【発明が解決しようとする課題】
【０００６】
しかしながら、この種の一体化はリベット等によるカシメ締結のみによってなされるものであって、カシメ締結がされていなければ、取付基板の凹溝部と取付杆の取付片部とは遊嵌状態にあるため、軒樋支持具を壁等に固定した後にリベットが緩んだ場合には、取付片部が、壁等に固定された取付基板の凹溝部内でぐらついてしまう。たとえリベットが緩まなかったとしても、通常、カシメ止めは１箇所であるため、凹溝部と取付片部との嵌合が遊嵌関係である以上、リベット位置を中心として取付片部が回転してぐらつくおそれもある。さらに、取付基板の凹溝部と取付杆の取付片部とが上記のような遊嵌程度の寸法関係にあれば、リベットによるカシメ止めの作業がしにくいという問題もある。
【０００７】
なお、上記特許文献１に記載のものは、カシメ加工後に回転規制して、固定部材と脚片部との振れ（相互回転）を防止できる構造となっているが、カシメのみによる締結であるため、取付基板の凹溝部と取付杆の取付片部との上記のような寸法関係を考慮すれば、上記のようなぐらつきを確実に防止することはできない。そのために、種々の取付片部の寸法に合わせて取付基板の凹溝部を同寸法に形成する必要があった。
【０００８】
本発明は、このような問題を考慮して提案されたもので、その目的は、取付杆と取付基板との締結をより強固にできるとともに、締結作業を安定した状態で行える軒樋支持具、これに用いる取付基板および取付杆を提供することにある。
【課題を解決するための手段】
【０００９】
上記目的を達成するために、請求項１に記載の軒樋支持具は、樋支持具本体を支持する本体部および取付片部を備えた取付杆と、内側に凹溝部が形成された取付基板とを備え、取付杆の取付片部を、取付基板の凹溝部に嵌合して被取付体に取付固定する構造とした軒樋支持具であって、取付基板の凹溝部の底部および取付杆の取付片部のいずれか一方には係合部が形成され、他方には係合部と係合する被係合部が形成されていることを特徴とする。
【００１０】
請求項２に記載の軒樋支持具は、取付基板の凹溝部の側壁には、該凹溝部に直交し、該取付基板の外側に膨出した補強部が形成されている。
【００１１】
請求項３に記載の軒樋支持具は、係合部および被係合部のいずれか一方は切り起こし片で構成され、他方は切り起こし片が嵌合される開口窓で構成されている。
【００１２】
請求項４に記載の取付基板は、請求項１〜３のいずれかに記載の軒樋支持具に用いられる取付基板である。
【００１３】
請求項５に記載の取付杆は、請求項１〜３のいずれかに記載の軒樋支持具に用いられる取付杆である。
【発明の効果】
【００１４】
本発明の軒樋支持具、取付基板または取付杆によれば、取付基板の凹溝部の底部および取付杆の取付片部のいずれか一方には係合部が形成され、他方には係合部と係合する被係合部が形成されているので、それらによって、取付杆の取付片部を取付基板の凹溝部内に固定することができる。すなわち、係合部と被係合部との当接がカシメによる締結を補完して、二重の結合手段を構成できる。その結果、締結後にカシメが緩んだ場合でも取付杆はぐらつかず、容易には外れない。また、リベット位置を中心とした取付片部の回転ずれも防止できる。さらに、締結作業時には両者をぐらつかない状態に保持することができ、安定した締結作業が行える。
【００１５】
さらに、取付基板と取付杆の一方に係合部、他方に係合部と相互に係合する被係合部を設けた構成によれば、取付杆の取付片部の形状を凹溝部および係合部に合致させた形状とすることで、同形同寸法の１種の取付基板で、異なる形状、寸法の本体部を有した多種の取付杆に対応できるという副次的な効果も期待できる。つまり、凹溝部の幅寸法に比して取付杆の本体部の幅寸法小さい場合でも、凹溝部内でぐらつかせることなく固定させることができる。
【００１６】
すなわち、係合部と被係合部で係合できる構成によれば、１種の取付基板で多種の取付杆に対応でき、そのため取付基板の部品点数を減らすことができ、その結果、金型や金型保管スペースを減らすことができるし、在庫管理の手間も軽減できる。
【００１７】
他の本発明によれば、凹溝部の側壁に補強部が形成されているので、軒樋や取付杆による取付基板への負荷によって取付基板が変形または破損することを防止できる。
【００１８】
また、さらに他の本発明によれば、係合部および被係合部のいずれか一方は切り起こし片で構成され、他方は切り起こし片が嵌合される開口窓で構成されているので、取付杆、取付基板に簡単な加工を施すだけで結合力の強い軒樋支持具を形成できる。
【図面の簡単な説明】
【００１９】
【図１】本発明の軒樋支持具の第１の実施形態の説明図で、（ａ）、（ｂ）は同軒樋支持具の構成部材である取付基板の概略正面図、概略平面図であり、（ｃ）は同軒樋支持具の構成部材である取付杆の概略正面図である。
【図２】同軒樋支持具の取付杆と取付基板の結合構造を示す斜視図であり、（ａ）は分離した状態、（ｂ）は結合した状態を示している。
【図３】（ａ）は同軒樋支持具の取付杆と取付基板の結合状態を示した概略正面図、（ｂ）は軒樋支持具の他例について取付杆と取付基板の結合状態を示した概略正面図である。
【図４】図３（ｂ）の軒樋支持具の取付態様を示した斜視図である。
【図５】取付基板と取付杆の結合態様の他例を示した部分概略断面図であり、（ａ）〜（ｃ）には係合手順を示している。
【図６】取付基板と取付杆の結合態様のさらなる他例を示した部分概略断面図であり、（ａ）、（ｂ）には係合手順を示している。
【図７】本発明の軒樋支持具の第２の実施形態を説明するための軒樋支持具の斜視図である。
【発明を実施するための形態】
【００２０】
以下に、本発明の実施の形態について、添付図面を参照しながら説明する。以下には、第１の実施形態として吊り式タイプの軒樋支持具を示し、第２の実施形態として受け式タイプの軒樋支持具を示している。
【００２１】
図１〜図４は、本発明の軒樋支持具の第１の実施形態を示す説明図である。この実施形態では、吊り式タイプの軒樋支持具を示している。なお、図４に示した軒樋支持具の取付態様図は、第１の実施形態の他例として示した図３（ｂ）の取付杆、取付基板に対応したものである。
【００２２】
本実施形態の軒樋支持具１は、軒樋Ｔを支持する軒樋支持具本体３０と、本体部１２で軒樋支持具本体３０を支持する構造とした取付杆１０と、取付杆１０の取付片部１１を嵌合する凹溝部２１を有した取付基板２０とより構成されている。
【００２３】
取付基板２０は、ステンレス材等の金属材等で製され、両側に形成された両翼片部２２、２２と、それらの間に形成された凹溝部２１とより構成されている。両翼片部２２、２２には、取付杆１０の取付片部１１を凹溝部２１に挟み込んで取付基板２０を壁等に固定するための固定具２４用の取付孔２２ａが開設され、凹溝部２１の底部２１ａには、取付杆１０を結合するためのリベットＲ用の締結孔２１ｄが開設されている。
【００２４】
さらに、凹溝部２１の底部２１ａの幅方向中央の上下２箇所には、手前側に水平方向に突出する切り起こし片２３、２３が形成されている。これらの切り起こし片２３、２３は、後述する取付杆１０の開口窓１１ｂ、１１ｂに係合する係合部を構成する。
【００２５】
また、凹溝部２１の両側壁２１ｂ、２１ｂの上下２箇所ずつには、凹溝部２１の溝方向に直交し、取付基板２０の外側（軒樋支持具１を軒先に取り付けたとき軒先よりも前方を向く面）に膨出した補強用のリブ２１ｃが形成されている。
【００２６】
一方、取付杆１０は、ステンレス材等の金属材等で製され、軒樋Ｔを支持する樋支持具本体３０を連結、支持する本体部１２と、取付基板２０の凹溝部２１に嵌合される取付片部１１とより構成されている。
【００２７】
この取付片部１１は、その幅寸法が本体部１２の幅寸法と同一であり、その幅方向中央の上下２箇所には開口窓１１ｂ、１１ｂが形成されている。上の開口窓１１ｂは矩形孔で構成され、下の開口窓１１ｂは矩形の切欠き開口によって構成されている。これら開口窓１１ｂ、１１ｂは、上記切り起こし片２３、２３に対する被係合部を構成する。また、この取付片部１１の正面視略中央には、取付基板２０の凹溝部２１の締結孔２１ｄと重合してリベットＲでカシメ締結するための締結孔１１ａが開設されている。
【００２８】
取付杆１０と取付基板２０とは、取付杆１０の取付片部１１を取付基板２０の凹溝部２１に嵌合し位置決めし、その後、重合された締結孔１１ａ、２１ｄをリベットＲでカシメ止めすることで締結される。
【００２９】
具体的には、取付基板２０のそれぞれの切り起こし片２３が、取付杆１０の対応する開口窓１１ｂ、１１ｂに嵌入、係合して、両者の締結孔１１ａ、２１ｄが重合するようにして、取付杆１０の取付片部１１が凹溝部２１に嵌合され、それによって位置決めがなされる。この切り起こし片２３の開口窓１１ｂへの嵌入は圧嵌が望ましいが、左右のぐらつきがない程度の遊嵌であってもよい。こうして、切り起こし片２３と開口窓１１ｂとが係合するので、取付杆１０の凹溝部２１内での左右の移動が規制される。
【００３０】
また、上の切り起こし片２３は上の開口窓１１ｂの開口下端縁１１ｂａに接し、下の切り起こし片２３は下の開口窓１１ｂの開口上端縁１１ｂｂに接するように配されて、２つの切り起こし片２３、２３で取付杆１０の取付片部１１の中央部を上下より挟み込む構造となっているため、取付杆１０の上下の移動も規制される。なお、このような挟み込み構造とすることが望ましいが、上下の切り起こし片２３、２３間距離を、上の開口窓１１ｂの開口下端縁１１ｂａと下の開口窓１１ｂの開口上端縁１１ｂｂとの距離よりもやや長くしてもよい。
【００３１】
したがって、取付杆１０と取付基板２０とは、リベットＲによるカシメ止めする前であっても、取付片部１１の回転等による相互の位置ずれがないように固定、結合されて、仮止め状態とすることができる。このように両者がぐらつかない状態を維持できるので、リベットＲによるカシメ締結作業をたやすく行える。
【００３２】
また、切り起こし片２３と開口窓１１ｂとを係合させて両者を固定（仮止め）できるので、この固定がリベットＲによるカシメ締結とともに二重の結合手段を構成でき、その結果、カシメ等による締結を補完でき、締結後にカシメが緩んだ場合でもぐらつかず、両者が外れることを防止できる。また、カシメ位置は１箇所であるため、カシメが緩まなくても、取付片部１１は凹溝部内でリベットＲのカシメ位置を中心とした回転力が作用するが、突片２３が開口窓１１ｂと係合しているため、取付片部１１の回転ずれも防止できる。
【００３３】
なお、切り起こし片は、矩形の開口窓１１ｂの開口左端縁１１ｂｃ、開口右端縁１１ｂｄに接するような垂直片であってもよく、このものでも上記の切り起こし片２３と開口窓１１ｂとの係合によるものと同様の効果が得られる。また、切り起こし片２３と開口窓１１ｂとの組合せは一組だけであってもよい。その場合、カシメ止めする前は上下の移動規制はできないが、左右の移動規制ができるので、仮止めはほとんど問題がなく、またカシメ止めした後はカシメ止めを十分に補完できるし、回転ずれも防止できる。
【００３４】
さらに、図３（ｂ）には、図３（ａ）と同形同寸法の取付基板２０に対して、取付片部１１（および本体部１２）の幅寸法が図３（ａ）のものより小さい取付杆１０を対応させた例を示している。
【００３５】
図３（ｂ）に示すように、取付片部１１の幅寸法は図３（ａ）のものよりも小さく、取付基板２０の凹溝部２１の幅寸法に合致していないが、切り起こし片２３と開口窓１１ｂとが係合される構造であるため、図３（ａ）のものと同様の効果を得ることができる。なお、図３（ｂ）の取付杆１０は、取付片部１１の幅寸法のみならず、全体寸法も図３（ａ）のものよりも小さい。
【００３６】
このように、取付基板２０の凹溝部２１と取付杆１０の取付片部１１とを、係合部と被係合部とで相互に係合できる構造としているから、取付杆１０の幅寸法を取付基板２０の凹溝部２１の幅寸法に合わせる必要がなく、小さな寸法の取付杆１０でも対応できる。したがって、凹溝部２１の幅寸法を一定とした１種の取付基板２０を、その凹溝部２１に嵌合できる取付片部１１を有した多種の幅寸法の取付杆１０に対応させた共通的な軒樋支持具の部品として使用することができる。その結果、取付基板２０の部品点数を減らすことができ、さらに取付基板２０用の金型や金型保管スペースを減らすことができる。
【００３７】
さらに、凹溝部２１の両側壁２１ｂ、２１ｂの複数個所に取付基板２０の外側に膨出した補強用のリブ２１ｃが形成されているので、軒樋Ｔ、樋支持具本体３０および取付杆１０による負荷にも耐え得、特に大きな寸法の取付杆１０で軒樋支持具１を構成して、取付基板２０に大きな負荷がかかる場合であっても、取付後に取付基板２０が変形または破損することを防止できる。
【００３８】
ついで、図５、図６を参照しながら、取付基板２０、取付杆１０に設ける係合部、被係合部の他の２例について説明する。図５、図６はともに、取付基板２０と取付杆１０の結合手順を示した概略断面図である。
【００３９】
図５に示した例は、取付基板２０の凹溝部２１の底部２１ａより横方向に突出し、上向き係止片２５ａを備えた係合突片２５で係合部を構成し、一方、取付杆１０の取付片部１１に開設された２つの開口窓１１ｂで被係合部を構成したものである。なお、図例では、係合突片２５と開口窓１１ｂとを上下２組設けているが、１組であってもよい。また、係合突片２５は切り起こし片であってもよい。
【００４０】
図５（ａ）〜（ｃ）に示すように、取付基板２０と取付杆１０とを、両係合突片２５、２５を取付片部１１の開口窓１１ｂ、１１ｂに貫通させて重合させ、ついで取付杆１０を上方より押し込めば、係合突片２５の上向き係止片２５ａが開口窓１１ｂの上端縁１１ｂｂに係止して、両部材は強固に結合（仮止め）される。そのとき、取付基板２０の締結孔２１ｄと取付杆１０の締結孔１１ａが合致、連通し、その連通した貫通孔をリベットＲでカシメ止めして両部材は結合する。
【００４１】
このように、取付片部１１を凹溝部２１の底部２１ａと上向き係止片２５ａとの間に嵌め入れる構造であるため、両部材をしっかりと結合させることができる。なお、下向き係止片を開口窓１１ｂの下端縁１１ｂａに係止する構造であってもよいが、取付基板２０が壁等に固定され、取付杆１０の重力がかかることを考慮すれば、上向き係止片２５ａで係止するほうが望ましい。
【００４２】
また図６に示した例は、取付杆１０の取付片部１１より横方向（凹溝部２１の底部２１ａに向かう方向）に突出した突起１１ｃで係合部を構成し、一方、取付基板２０の凹溝部２１の底部２１ａに開設された孔部２１ｅで被係合部を構成したものである。突起１１ｃと孔部２１ｅとは、突起１１ｃが孔部２１ｅに嵌入できるように、丸形、角形等略同形で略同寸法であればよい。
【００４３】
また、孔部は押圧によって形成した凹み程度であってもよく、突起もその凹みに入り込める程度にわずかに突出した膨出部であってもよい。このような係合であっても位置決め機能としては十分であり、リベットＲによってカシメ止めすれば、そのような係合はリベットによる締結を十分に補完できる。
【００４４】
ついで、図７を参照しながら、本発明の軒樋支持具の第２の実施形態について説明する。
【００４５】
図７は、同軒樋支持具の結合状態を示す斜視図である。
【００４６】
この軒樋支持具１は、半円形の軒樋（不図示）を直接受け支持できるように、軒樋の外形に沿った湾曲形状とした本体部１２と、取付片部１１とよりなる取付杆１０、および凹溝部２１を有した取付基板２０を含んで構成されている。
【００４７】
取付基板２０と取付杆１０の取付片部１１との結合構造については、第１の実施形態と同様であるため、同一の符号を付してその説明は省略する。また、本実施形態に示した軒樋支持具によって、第１の実施形態と同様の効果が奏せられることはいうまでもない。
【００４８】
以上の２つの実施形態では、突片として、取付基板２０または取付杆１０に一体的に形成したものを示したが、別体の弾性部材を取付基板または取付杆に固着して突片を構成してもよい。
【００４９】
なお、係合部および被係合部は、取付基板および取付杆に対して、上記２つの実施形態で示した例とは逆の配置としてもよい。また、取付杆、取付基板のそれぞれに係合部、被係合部を混在させてもよい。
【符号の説明】
【００５０】
１      軒樋支持具
１０      取付杆
１１      取付片部
１１ｂ      開口窓（被係合部）
１１ｃ      突起（係合部）
１２      本体部
２０      取付基板
２１      凹溝部
２１ａ      底部
２１ｂ      側壁
２１ｃ      リブ（補強部）
２１ｅ      孔部（被係合部）
２２      両翼片部
２３      切り起こし片（係合部）
２５      係合突片（係合部）
２５ａ      上向き係止片
３０      樋支持具本体
Ｒ      リベット
Ｔ      軒樋
【図１】
2010196344.tif 000003
【図２】
2010196344.tif 000004
【図３】
2010196344.tif 000005
【図４】
2010196344.tif 000006
【図５】
2010196344.tif 000007
【図６】
2010196344.tif 000008
【図７】
2010196344.tif 000009